(57)【要約】      （修正有）【課題】オンラインチャットルームで、過去のメッセージを格納しているレポジトリを通じて、ユーザ間の意思疎通を効率よく共有する技術を提供する。【解決手段】オンライン実体可能なメッセージレポジトリ処理装置は、メモリ及びメモリと電気的に連結されたプロセッサを含む。プロセッサは、少なくとも１つの参加者により参加され、対話スレッドと関連したチャットルームで実体化することができ、コンピュータファイルで具現されるオンライン実体可能なメッセージレポジトリ（online instantiable message repository）のオープン要請を受信し、オンライン実体可能なメッセージレポジトリが成功的にオープンされれば、チャットルームを再開し、対話スレッドと関連したチャットルームにメッセージ発信者とメッセージ内容を含む対話メッセージが追加されれば、オンライン実体可能なメッセージレポジトリを更新する。【選択図】図５
2019021314.tif 000002
【特許請求の範囲】
【請求項１】
メモリ及び前記メモリと電気的に連結されたプロセッサを含み、
前記プロセッサは、
少なくとも１つの参加者により参加され、対話スレッドと関連したチャットルームで実体化されることができ、コンピュータファイルで具現されるオンライン実体可能なメッセージレポジトリ（online instantiable message repository）のオープン要請を受信し、
前記オンライン実体可能なメッセージレポジトリが成功的にオープンされれば前記チャットルームを再開し、
前記対話スレッドと関連したチャットルームにメッセージ発信者とメッセージ内容を含む対話メッセージが追加されれば、前記オンライン実体可能なメッセージレポジトリを更新するオンライン実体可能なメッセージレポジトリ処理装置。
【請求項２】
前記プロセッサは、
前記オンライン実体可能なメッセージレポジトリのファイル制御権限をチャットルーム開設者に与えることを特徴とする、請求項１に記載のオンライン実体可能なメッセージレポジトリ処理装置。
【請求項３】
前記プロセッサは、
オンライン招待を通じて参加される前記少なくとも１つの参加者に前記オンライン実体可能なメッセージレポジトリのファイル読取権限を与えることを特徴とする、請求項２に記載のオンライン実体可能なメッセージレポジトリ処理装置。
【請求項４】
前記プロセッサは、
一般ファイル客体と共に前記オンライン実体可能なメッセージレポジトリを含むフォルダ客体を前記少なくとも１つの参加者の共有フォルダとして管理することを特徴とする、請求項２に記載のオンライン実体可能なメッセージレポジトリ処理装置。
【請求項５】
前記プロセッサは、
前記チャットルームにある全ての参加者の参加が終了されれば、チャットルーム開設者に前記オンライン実体可能なメッセージレポジトリに対する削除承認を要請することを特徴とする、請求項１に記載のオンライン実体可能なメッセージレポジトリ処理装置。
【請求項６】
前記プロセッサは、
前記オープン要請が受信されれば、該当要請者が前記少なくとも１つの参加者のうちの１つに該当するか否かを決定して前記オープンを承認することを特徴とする、請求項１に記載のオンライン実体可能なメッセージレポジトリ処理装置。
【請求項７】
前記プロセッサは、
前記オープンが承認されれば、前記該当要請者に前記オンライン実体可能なメッセージレポジトリにある特定時間区間単位で一部の対話スレッドを逆順次的に提供することを特徴とする、請求項６に記載のオンライン実体可能なメッセージレポジトリ処理装置。
【請求項８】
前記プロセッサは、
前記対話スレッドにある対話メッセージが一般ファイル客体と関連されれば、前記少なくとも１つの参加者が前記一般ファイル客体のリアルタイム操作またはリアルタイム変更を共有するようにすることを特徴とする、請求項１に記載のオンライン実体可能なメッセージレポジトリ処理装置。
【請求項９】
前記プロセッサは、
前記対話メッセージが追加されれば、前記少なくとも１つの参加者に前記追加された対話メッセージを直ちに提供して該当参加者が前記オンライン実体可能なメッセージレポジトリを内在的にオープンするようにすることを特徴とする、請求項１に記載のオンライン実体可能なメッセージレポジトリ処理装置。
【請求項１０】
前記プロセッサは、
前記対話メッセージが追加される度に該当フォルダ客体及び該当下位フォルダ客体にある全てのオンライン実体可能なメッセージレポジトリのうち、ユーザにより確認されていない未確認対話メッセージを含むオンライン実体可能なメッセージレポジトリの個数または前記ユーザにより確認されていない未確認対話メッセージの個数を前記フォルダ客体に反映することを特徴とする、請求項１に記載のオンライン実体可能なメッセージレポジトリ処理装置。
【発明の詳細な説明】
【技術分野】
【０００１】
本発明はオンライン実体可能なメッセージレポジトリ処理技術に関し、より詳しくは、オンラインチャットルームで実体化可能で、かつ過去のメッセージを格納しているレポジトリを通じてユーザの間の意思疎通過程の全般を効率よく共有することができるオンライン実体可能なメッセージレポジトリ処理装置及び方法に関する。
【背景技術】
【０００２】
インターネットメッセンジャーはユーザの間の文字またはグラフィックを含むメッセージを伝達するアプリケーションに該当し、複数のユーザにより参加されるチャットルームで具現できる。一実施形態において、インターネットメッセンジャーはモバイル環境（例えば、携帯電話）で遂行されるモバイルメッセンジャーを含むことができ、例えば、カカオトーク、ライン、ウィーチャット、フェイスブックメッセンジャーを含むことができる。
【０００３】
インターネットメッセンジャーを使用するユーザの数が急増するにつれて、モバイル環境で使われるアプリケーションも非常に多様に開発されており、そのうちでファイルを共有するためのプログラムは多いユーザにより使われている。
【０００４】
韓国公開特許第１０−２０１５−００７３２２９号公報はメッセンジャーグループ内のファイル共有システム及び方法に関するものであって、チャットに従うテキストを入力する複数個のユーザ端末機；前記複数個のユーザ端末機にメッセンジャーサービスを提供するメッセンジャーサーバー；前記メッセンジャーサーバーと連結され、前記複数個のユーザ端末機のうちの一部のユーザ端末機で構成されたグループからファイルの転送を受けるファイル共有サーバー；及び前記ファイル共有サーバーを用いることに従う所定の認証を遂行する認証サーバー；を含む。
【０００５】
韓国公開特許第１０−２０１４−０１０４９６７号公報は、ユーザの間にメッセージコンテンツを共有し転送する技法に関するものであって、ユーザと関連するメッセージングコンテンツをディスプレイするステップと、前記メッセージングコンテンツの少なくとも一部を受信者と共有せよとの要請を受信するステップと、前記ユーザと関連する前記メッセージングコンテンツにアクセスするステップと、前記メッセージングコンテンツを前記受信者に転送するステップを含む。
【先行技術文献】
【特許文献】
【０００６】
【特許文献１】韓国公開特許第１０−２０１５−００７３２２９号公報
【特許文献２】韓国公開特許第１０−２０１４−０１０４９６７号公報
【発明の概要】
【発明が解決しようとする課題】
【０００７】
本発明の一実施形態はオンラインチャットルームで実体化可能で、かつ過去のメッセージを格納しているレポジトリを通じてユーザの間の意思疎通過程の全般を効率よく共有することができるオンライン実体可能なメッセージレポジトリ処理装置及び方法を提供しようとする。
【０００８】
本発明の一実施形態は、オンライン実体可能なメッセージレポジトリを通じて新しい参加者またはチャットルームから出た既存の参加者やはりコンピュータファイルに接近して過去の対話メッセージを全て含んでいるチャットルームに容易に参加することができるオンライン実体可能なメッセージレポジトリ処理装置及び方法を提供しようとする。
【０００９】
本発明の一実施形態は、ユーザの間に共有できるコンピュータファイルとして管理されるオンライン実体可能なメッセージレポジトリを適用することによって、より直観的なインターフェースを介してチャットルームが共有及び管理できるようにしてユーザ便宜を増進させることができるオンライン実体可能なメッセージレポジトリ処理装置及び方法を提供しようとする。
【課題を解決するための手段】
【００１０】
実施形態のうち、オンライン実体可能なメッセージレポジトリ処理装置は、メモリ及び前記メモリと電気的に連結されたプロセッサを含む。前記プロセッサは少なくとも１つの参加者により参加され、対話スレッドと関連したチャットルームで実体化されることができ、コンピュータファイルで具現されるオンライン実体可能なメッセージレポジトリ（online instantiable message repository）のオープン要請を受信し、前記オンライン実体可能なメッセージレポジトリが成功的にオープンされれば、前記チャットルームを再開し、前記対話スレッドと関連したチャットルームにメッセージ発信者とメッセージ内容を含む対話メッセージが追加されれば、前記オンライン実体可能なメッセージレポジトリを更新する。
【００１１】
前記プロセッサは、前記オンライン実体可能なメッセージレポジトリのファイル制御権限をチャットルーム開設者に与えることができる。前記プロセッサはオンライン招待を通じて参加される前記少なくとも１つの参加者に前記オンライン実体可能なメッセージレポジトリのファイル読取権限を与えることができる。
【００１２】
前記プロセッサは、一般ファイル客体と共に前記オンライン実体可能なメッセージレポジトリを含むフォルダ客体を前記少なくとも１つの参加者の共有フォルダとして管理することができる。
【００１３】
前記プロセッサは、前記チャットルームにある全ての参加者の参加が終了されれば、チャットルーム開設者に前記オンライン実体可能なメッセージレポジトリに対する削除承認を要請することができる。
【００１４】
前記プロセッサは、前記オープン要請が受信されれば、該当要請者が前記少なくとも１つの参加者のうちの１つに該当するか否かを決定して前記オープンを承認することができる。前記プロセッサは、前記オープンが承認されれば前記該当要請者に前記オンライン実体可能なメッセージレポジトリにある特定時間区間単位で一部の対話スレッドを逆順次的に提供することができる。
【００１５】
前記プロセッサは、前記対話スレッドにある対話メッセージが一般ファイル客体と関連すれば、前記少なくとも１つの参加者が前記一般ファイル客体のリアルタイム操作またはリアルタイム変更を共有するようにすることができる。
【００１６】
前記プロセッサは、前記対話メッセージが追加されれば、前記少なくとも１つの参加者に前記追加された対話メッセージを直ちに提供して、該当参加者が前記オンライン実体可能なメッセージレポジトリを内在的にオープンするようにすることができる。
【００１７】
前記プロセッサは、前記対話メッセージが追加される度に該当フォルダ客体及び該当下位フォルダ客体にある全てのオンライン実体可能なメッセージレポジトリのうち、ユーザにより確認されていない未確認対話メッセージを含むオンライン実体可能なメッセージレポジトリの個数または前記ユーザにより確認されていない未確認対話メッセージの個数を前記フォルダ客体に反映することができる。
【００１８】
前記プロセッサは、前記チャットルームを通じて前記少なくとも１つの参加者のうちの１つから転送される転送ファイル客体を前記対話メッセージとして受信することができる。前記プロセッサは、前記転送ファイル客体を一般ファイル客体として該当フォルダ客体に自動で追加し、前記対話メッセージを前記転送ファイル客体と関連させることができる。
【００１９】
前記プロセッサは、前記チャットルームを通じて前記少なくとも１つの参加者のうちの１つに該当する業務生成者から業務内容と業務処理者を含み、前記業務処理者によりフィードバックできる業務客体を前記対話メッセージとして受信することができる。前記プロセッサは、特定時間周期で前記フォルダ客体にある全てのオンライン実体可能なメッセージレポジトリの業務客体のうち、リマインド条件を満たす業務客体を検出して前記フォルダ客体にあるトゥデー業務リストに反映することができる。
【００２０】
前記プロセッサは、該当フォルダ客体と下位ツリー構造の関連性を有する全てのオンライン実体可能なメッセージレポジトリ、一般ファイル客体及びサブ−フォルダ客体に関する生成個数、生成者、及び参加者のうち、少なくとも１つに基づいて算出された統計演算結果を前記該当フォルダ客体にある累積統計カウントに含めることができる。前記プロセッサは、前記全てのオンライン実体可能なメッセージレポジトリと関連した業務客体に関する生成個数、処理個数、業務生成者、及び業務処理者のうち、少なくとも１つに基づいて統計演算を遂行して前記累積統計カウントに反映することができる。
【００２１】
前記プロセッサは、前記対話スレッドの更新頻度または関連した業務客体の生成個数に基づいて前記オンライン実体可能なメッセージレポジトリの活性度を決定して該当フォルダ客体で前記オンライン実体可能なメッセージレポジトリの整列順序を決定するようにすることができる。
【００２２】
前記プロセッサは、該当フォルダ客体に関するフォルダ共有者から一般ファイル客体に関する削除要請が受信されれば、前記一般ファイル客体と前記該当フォルダ客体にあるオンライン実体可能なメッセージレポジトリとの関連性に基づいて前記削除要請を承認することができる。
【００２３】
前記プロセッサは、前記オンライン実体可能なメッセージレポジトリ、一般ファイル客体、またはサブ−フォルダ客体を対象に該当フォルダ客体（以下、第１フォルダ客体）から他のフォルダ客体（以下、第２フォルダ客体）への移動要請が受信されれば、該当移動要請された対象客体及び該当関連した全ての他の客体を前記第１及び第２フォルダ客体と再−関連させることができる。
【００２４】
実施形態のうち、オンライン実体可能なメッセージレポジトリ処理方法は、メモリ及び前記メモリと電気的に連結されたプロセッサを含むオンライン実体可能なメッセージレポジトリ処理装置で遂行される。前記方法は、少なくとも１つの参加者により参加され、対話スレッドと関連したチャットルームで実体化されることができ、コンピュータファイルで具現されるオンライン実体可能なメッセージレポジトリのオープン要請を受信するステップ、前記オンライン実体可能なメッセージレポジトリが成功的にオープンされれば、前記チャットルームを再開するステップ、及び前記対話スレッドと関連したチャットルームにメッセージ発信者とメッセージ内容を含む対話メッセージが追加されれば、前記オンライン実体可能なメッセージレポジトリを更新するするステップを含む。
【００２５】
実施形態のうち、コンピュータ読取可能な記録媒体は、メモリ及び前記メモリと電気的に連結されたプロセッサを含むオンライン実体可能なメッセージレポジトリ処理装置で遂行されるオンライン実体可能なメッセージレポジトリ処理方法を記録する。前記オンライン実体可能なメッセージレポジトリ処理方法は、少なくとも１つの参加者により参加され、対話スレッドと関連したチャットルームで実体化されることができ、コンピュータファイルで具現されるオンライン実体可能なメッセージレポジトリのオープン要請を受信するステップ、前記オンライン実体可能なメッセージレポジトリが成功的にオープンされれば、前記チャットルームを再開するステップ、及び前記対話スレッドと関連したチャットルームにメッセージ発信者とメッセージ内容を含む対話メッセージが追加されれば、前記オンライン実体可能なメッセージレポジトリを更新するステップを含む。
【発明の効果】
【００２６】
開示された技術は、次の効果を有することができる。但し、特定の実施形態が次の効果を全部含まなければならないか、または次の効果のみを含まなければならないという意味ではないので、開示された技術の権利範囲はこれによって制限されるものとして理解されてはならない。
【００２７】
本発明の一実施形態に係るオンライン実体可能なメッセージレポジトリ処理装置及び方法は、オンラインチャットルームで実体化可能で、かつ過去のメッセージを格納しているレポジトリを通じてユーザの間の意思疎通過程の全般を効率よく共有することができる。
【００２８】
本発明の一実施形態に係るオンライン実体可能なメッセージレポジトリ処理装置及び方法は、オンライン実体可能なメッセージレポジトリを通じて新しい参加者またはチャットルームから出た既存の参加者がコンピュータファイルに接近して過去の対話メッセージを全て含んでいるチャットルームに容易に参加することができる。
【００２９】
本発明の一実施形態に係るユーザの間に共有できるコンピュータファイルとして管理されるオンライン実際可能なメッセージレポジトリを適用することによって、より直観的なインターフェースを介してチャットルームが共有及び管理できるようにしてユーザ便宜を増進させることができる。
【図面の簡単な説明】
【００３０】
【図１】本発明の一実施形態に係るオンライン実体可能なメッセージレポジトリ処理オンライン実体可能なメッセージレポジトリ処理システムを説明する図である。
【図２】図１にあるオンライン実体可能なメッセージレポジトリ処理装置を示すブロック図である。
【図３】図２にあるメモリの資料構造を示す図である。
【図４】図２にあるプロセッサの機能要素を示すブロック図である。
【図５】図２にあるプロセッサにより遂行されるメッセージ基盤のファイル共有プロシージャを説明するフローチャートである。
【図６】図１にあるユーザ端末がオンライン実体可能なメッセージレポジトリ処理装置と連動してファイル共有インターフェースを提供する過程の一実施形態を示す図である。
【図７】図１にあるユーザ端末がオンライン実体可能なメッセージレポジトリ処理装置と連動してオンライン実際可能なメッセージレポジトリをチャットルームで視角化させる過程の一実施形態を示す図である。
【発明を実施するための形態】
【００３１】
本発明に関する説明は、構造的乃至機能的説明のための実施形態に過ぎないので、本発明の権利範囲は本文に説明された実施形態により制限されるものとして解析されてはならない。即ち、実施形態は多様な変更が可能であり、さまざまな形態を有することができるので、本発明の権利範囲は技術的思想を実現することができる均等物を含むものとして理解されるべきである。また、本発明で提示された目的または効果は特定の実施形態がこれを全部含まなければならないか、またはそのような効果のみを含まなければならないという意味ではないので、本発明の権利範囲はこれにより制限されるものとして理解されてはならない。
【００３２】
一方、本出願で叙述される用語の意味は、次の通り理解されるべきである。
【００３３】
“第１”、“第２”などの用語は、１つの構成要素を他の構成要素から区別するためのものであって、これら用語により権利範囲が限定されてはならない。例えば、第１構成要素は第２構成要素と命名されることができ、類似するように、第２構成要素も第１構成要素と命名できる。
【００３４】
ある構成要素が他の構成要素に“連結されて”いると言及された時には、その他の構成要素に直接的に連結されることもできるが、中間に他の構成要素が存在することもできると理解されるべきである。一方、ある構成要素が他の構成要素に“直接連結されて”いると言及された時には中間に他の構成要素が存在しないものとして理解されるべきである。一方、構成要素の間の関係を説明する他の表現、即ち“〜間に”と、“直ちに〜間に”、または“〜に隣り合う”と“〜に直接隣り合う”なども同様に解析されなければならない。
【００３５】
単数の表現は文脈上、明白に異なる意味を有しない限り、複数の表現を含むものとして理解されるべきであり、“含む”または“有する”などの用語は実施された特徴、数字、ステップ、動作、構成要素、部分品、またはこれらを組み合わせたものが存在することを指定しようとするものであり、１つまたはその以上の他の特徴や数字、ステップ、動作、構成要素、部分品、またはこれらを組み合わせたものの存在または付加可能性を予め排除しないものとして理解されるべきである。
【００３６】
各ステップにおいて、識別符号（例えば、ａ、ｂ、ｃなど）は説明の便宜のために使われるものであって、識別符号は各ステップの順序を説明するものでなく、各ステップは文脈上、明白に特定順序を記載しない以上、明記した順序と異なるように起こることがある。即ち、各ステップは明記した順序と同一に起こることもあり、実質的に同時に遂行されることもあり、反対の順に遂行されることもある。
【００３７】
本発明はコンピュータが読み取ることができる記録媒体にコンピュータが読み取ることができるコードとして具現されることができ、コンピュータが読み取ることができる記録媒体はコンピュータシステムにより読取できるデータが格納される全ての種類の記録装置を含む。コンピュータが読み取ることができる記録媒体の例には、ＲＯＭ、ＲＡＭ、ＣＤ−ＲＯＭ、磁気テープ、フロッピーディスク、光データ格納装置などがある。また、コンピュータにより読取できる記録媒体は、ネットワークにより連結されたコンピュータシステムに分散されて、分散方式でコンピュータにより読取できるコードが格納され実行できる。
【００３８】
ここに使われる全ての用語は異に定義されない限り、本発明が属する分野で通常の知識を有する者により一般的に理解されることと同一な意味を有する。一般的に使われる辞典に定義されている用語は、関連技術の文脈上の意味と一致するものとして解析されなければならず、本出願で明白に定義しない限り、理想的であるか、または過度に形式的な意味を有するものとして解析できない。
【００３９】
図１は、本発明の一実施形態に係るオンライン実体可能なメッセージレポジトリ処理システムを説明する図である。
【００４０】
図１を参照すると、オンライン実体可能なメッセージレポジトリ処理システム１００は、オンライン実体可能なメッセージレポジトリ処理装置１１０及びユーザ端末１２０を含み、これらはネットワークを介して連結できる。
【００４１】
オンライン実体可能なメッセージレポジトリ処理装置１１０は、ユーザ端末１２０と連結できるコンピューティング装置に該当する。一実施形態で、オンライン実体可能なメッセージレポジトリ処理装置１１０は、ユーザ端末１２０と関連したユーザが構成員として含まれる少なくとも１つの構成員グループを管理することができ、少なくとも１つのユーザ端末１２０を通じて構成される構成員グループから転送されるメッセージをグループ化した対話スレッドを管理することができる。一実施形態で、対話スレッドはインターネットメッセンジャーのチャットルームで具現できる。
【００４２】
一実施形態で、オンライン実体可能なメッセージレポジトリ処理装置１１０はユーザ端末１２０に設けられたメッセージエージェントを通じてユーザ端末１２０と連結できる。一実施形態で、メッセージエージェントはユーザ端末１２０に設けられれば、ユーザ端末１２０の承認下にユーザ端末１２０とオンライン実体可能なメッセージレポジトリ処理装置１１０がネットワークを介して連結されて相互連動するようにすることができるソフトウェアで具現できる。
【００４３】
ユーザ端末１２０は、オンライン実体可能なメッセージレポジトリ処理装置１１０と連結されたコンピュータ装置に該当し、例えば、デスクトップ、ノートブック、タブレットＰＣ、またはスマートフォンで具現できる。一実施形態で、第１ユーザ端末１２０ａはモバイル端末に該当することができ、オンライン実体可能なメッセージレポジトリ処理装置１１０とセルラー通信またはワイファイ通信を通じて連結できる。他の一実施形態で、第２ユーザ端末１２０ｂはデスクトップに該当することができ、オンライン実体可能なメッセージレポジトリ処理装置１１０とインターネットを通じて連結できる。
【００４４】
図２は、図１にあるオンライン実体可能なメッセージレポジトリ処理装置を示すブロック図である。
【００４５】
図２を参照すると、オンライン実体可能なメッセージレポジトリ処理装置１１０は、プロセッサ２１０、メモリ２２０、ユーザ入出力部２３０、及びネットワーク入出力部２４０を含むことができる。
【００４６】
プロセッサ２１０は、図５にあるオンライン実体可能なメッセージレポジトリ処理過程が実行できるメッセージレポジトリ処理器２１２、メッセージレポジトリ処理器２１２により読取または作成されるメモリ２２０を管理することができるメモリ管理者２１４、及びメモリ２２０にある揮発性メモリと不揮発性メモリとの間の同期化時間をスケジュールすることができるメモリ同期スケジューラー２１６を含むことができる。プロセッサ２１０は、オンライン実体可能なメッセージレポジトリ処理装置１１０の動作の全般を制御することができ、メモリ２２０、ユーザ入出力部２３０、及びネットワーク入出力部２４０の間のデータ流れを制御することができる。プロセッサ２１０は、オンライン実体可能なメッセージレポジトリ処理装置１１０のＣＰＵ（Central Processing Unit）で具現できる。
【００４７】
メモリ２２０は、ＳＳＤ（Solid State Disk）またはＨＤＤ（Hard Disk Drive）のような不揮発性メモリで具現されてオンライン実体可能なメッセージレポジトリ処理装置１１０に必要なデータ全般を格納することに使われる補助記憶装置を含むことができ、ＲＡＭ（Random Access Memory）のような揮発性メモリで具現された主記憶装置を含むことができる。このように、メモリ２２０は揮発性及び不揮発性メモリで具現されることができ、もし、不揮発性メモリで具現されればハイパーリンクを通じて連結されるように具現できる。
【００４８】
メモリ２２０は、フォルダ客体メモリ領域２２２及びユーザメモリ領域２２４を含むことができる。このような内容は図３を参照して説明する。
【００４９】
図３は、図２にあるメモリの資料構造を示す図である。
【００５０】
フォルダ客体メモリ領域２２２にはフォルダ客体（Folder Object）３１０が格納できる。フォルダ客体メモリ領域２２２は、フォルダ客体３１０にあるオンライン実際可能なメッセージレポジトリ客体（Message Repository Object）３２０と関連したオンライン実際可能なメッセージレポジトリ客体メモリ領域、フォルダ客体３１０にある一般ファイル客体（Common File Object）３３０と関連した一般ファイル客体メモリ領域及びフォルダ客体３１０にあるサブ−フォルダ客体（Sub-Folder Object）３４０と関連したサブ−フォルダ客体メモリ領域を含むことができる。また、オンライン実際可能なメッセージレポジトリ客体メモリ領域にはオンライン実際可能なメッセージレポジトリ客体３２０と一対多に各々関連できる少なくとも１つの業務客体（Work Object）３２２及び転送ファイル客体（Transferred File Object）３２４が格納できる。例えば、フォルダ客体メモリ領域２２２に格納されたフォルダ客体ＦＯ＃１はオンライン実際可能なメッセージレポジトリ客体ＭＯ＃１、一般ファイル客体ＣＯ＃１、及びサブ−フォルダ客体ＳＦＯ＃１を含むことができ、オンライン実際可能なメッセージレポジトリ客体ＭＯ＃１は業務客体ＷＯ＃１、ＷＯ＃２と転送ファイル客体ＴＦＯ＃１を含むことができる（図３で、表記されたＮ、Ｍ、Ｌ、Ｋ、Ｊ、及びＰは自然数で、相互同一または相異する値を有することができる）。
【００５１】
ユーザメモリ領域２２４は、ユーザ端末１２０と関連したユーザ情報と関連する。ここで、ユーザ情報は、ユーザの名前（対話名）、メッセンジャーＩＤ、パスワード、構成員として所属された構成員グループ、参加中のプロジェクト及び業務評価ポイント情報のうち、少なくとも１つを含むことができる。
【００５２】
ユーザ入出力部２３０は、ユーザ入力を受信するための環境及びユーザに特定情報（例えば、プロジェクト評価データ）を出力するための環境を含み、例えば、マウス、トラックボール、タッチパッド、グラフィックタブレット、スキャナー、タッチスクリーン、キーボード、またはポインティング装置のようなアダプターを含む入力装置、及びモニターまたはタッチスクリーンのようなアダプターを含む出力装置を含むことができる。一実施形態で、ユーザ入出力部２３０は遠隔接続を通じて接続されるコンピューティング装置に該当することができ、そのような場合、オンライン実体可能なメッセージレポジトリ処理装置１１０はサーバーとして遂行できる。
【００５３】
ネットワーク入出力部２４０は、ネットワークを介してユーザ端末１２０と連結するための環境を含み、例えば、ＬＡＮ（Local Area Network）通信のためのアダプターを含むことができる。
【００５４】
図４は、図２にあるプロセッサの機能要素を示すブロック図である。
【００５５】
図４を参照すると、プロセッサ２１０は、フォルダ客体管理部４１０、オンライン実際可能なメッセージレポジトリ管理部４２０、対話メッセージ管理部４３０、及び制御部４４０を含むことができる。
【００５６】
フォルダ客体管理部４１０はオンライン実際可能なメッセージレポジトリ客体３２０と一般ファイル客体３３０を含むフォルダ客体３１０を管理する。ここで、オンライン実際可能なメッセージレポジトリ客体３２０は少なくとも１つの参加者により参加され、対話スレッドと関連したチャットルームで実体化されることができ、コンピュータファイルで具現できる。一実施形態で、一般ファイル客体３３０はユーザ端末１２０から転送できる文書ファイルやマルチメディアファイルのような一般的なコンピュータファイル客体に該当できる。
【００５７】
より具体的に、フォルダ客体管理部４１０はフォルダ客体メモリ領域２２２にオンライン実際可能なメッセージレポジトリ客体３２０、一般ファイル客体３３０、及びサブ−フォルダ客体３４０のうち、少なくとも１つのコンテナを含むフォルダ客体３１０を生成することができ、生成されたフォルダ客体３１０に関する修正及び削除を管理することができ、特定のユーザと関連したユーザ端末１２０により該当フォルダ客体３１０に対する接近が試みられれば、該当ユーザの接近権限を確認して該当接近を許容するか否かを決定することができる。
【００５８】
フォルダ客体管理部４１０は、フォルダ客体３１０にあるオンライン実際可能なメッセージレポジトリ客体３２０を一般ファイル客体３３０と区分される独立的なファイル個体として管理することができ、一実施形態で、オンライン実際可能なメッセージレポジトリ客体３２０、一般ファイル客体３３０、及びサブ−フォルダ３４０を通じて階層的に構成されたフォルダ客体３１０を管理することができる。
【００５９】
一実施形態で、フォルダ客体管理部４１０はフォルダ客体３１０がフォルダ生成者により生成されれば、フォルダ生成者にフォルダ生成者の接近権を与えることができ、該当フォルダ生成者及び該当フォルダ生成者により該当フォルダ客体３１０に関する共有対象者に指定された少なくとも１つのユーザの各々にフォルダ共有者の接近権を与えることができる。フォルダ客体管理部４１０は、フォルダ客体３１０に対する接近が試みられれば、該当フォルダ生成者またはフォルダ共有者の接近権を通じて該当フォルダ客体３１０に接近することができる。
【００６０】
一実施形態で、フォルダ客体管理部４１０は特定フォルダ客体３１０に関する接近が試みられれば、該当接近試み者の該当フォルダ客体３１０に対する接近権を確認して該当フォルダ客体３１０にあるオンライン実際可能なメッセージレポジトリ客体３２０、一般ファイル客体３３０、及びサブ−フォルダ客体３４０に接近するためのファイルリストを提供するか否かを決定することができ、該当ファイルリストを通じてユーザ端末１２０から特定ファイル客体に関する接近またはオープン要請を受信することができる。一実施形態で、フォルダ客体管理部４１０は該当フォルダ客体３１０にあるファイルリストを通じて各ファイル客体に関するユーザ端末１２０の接近可能か否かが共に表示されるようにすることができる。
【００６１】
一実施形態で、フォルダ客体管理部４１０は該当チャットルームにある全ての参加者の参加が終了されれば、チャットルーム開設者にオンライン実際可能なメッセージレポジトリ客体３２０に対する削除承認を要請することができる。例えば、フォルダ客体管理部４１０は、オンライン実際可能なメッセージレポジトリ客体３２０が実体化されたチャットルームに参加される全ての参加者が該当チャットルームから退場すれば、該当オンライン実際可能なメッセージレポジトリ客体３２０を該当フォルダ客体３１０でチャットルーム開設者の承認によって削除することができる。オンライン実際可能なメッセージレポジトリ客体３２０に関する参加者関連内容はオンライン実際可能なメッセージレポジトリ管理部４２０の説明でより詳細に叙述するようにする。
【００６２】
一実施形態で、フォルダ客体管理部４１０はフォルダ客体３１０に関するフォルダ共有者から該当フォルダ客体３１０にある一般ファイル客体３３０に関する削除要請が受信されれば、該当一般ファイル客体３３０と該当フォルダ客体３１０にあるオンライン実際可能なメッセージレポジトリ客体３２０との関連性に基づいて該当削除要請を承認することができる。例えば、フォルダ客体管理部４１０は特定オンライン実際可能なメッセージレポジトリ客体３２０と関連した一般ファイル客体３３０の場合、該当オンライン実際可能なメッセージレポジトリ客体３２０が削除される前には該当一般ファイル客体３３０が削除できない。オンライン実際可能なメッセージレポジトリ客体３２０に関する関連性の関連内容は、オンライン実際可能なメッセージレポジトリ管理部４２０の説明でより詳細に叙述する。
【００６３】
一実施形態で、フォルダ客体管理部４１０はオンライン実際可能なメッセージレポジトリ客体３２０、一般ファイル客体３３０、またはサブ−フォルダ客体３４０を対象に該当フォルダ客体（以下、第１フォルダ客体）から他のフォルダ客体（以下、第２フォルダ客体）への移動要請が受信されれば、該当移動要請された対象客体及び該当関連した全ての他の客体を該当第１及び第２フォルダ客体と再−関連させることができる。例えば、図３を参照すると、フォルダ客体管理部４１０は第１フォルダ客体ＦＯ＃１にあり、一般ファイル客体ＣＯ＃１と関連したオンライン実際可能なメッセージレポジトリ客体ＭＯ＃１と関連して、該当チャットルームの参加者のうちの１つと関連したユーザ端末１２０からオンライン実際可能なメッセージレポジトリ客体ＭＯ＃１を第１フォルダ客体ＦＯ＃１から第２フォルダ客体ＦＯ＃２に移動するための移動要請を受信することができ、該当移動要請によって、オンライン実際可能なメッセージレポジトリ客体ＭＯ＃１及びこれと関連した一般ファイル客体ＣＯ＃１の全てと第１フォルダ客体ＦＯ＃１との間の関連性を解除し、第２フォルダ客体ＦＯ＃２の間の関連性を設定することができる。同様に、フォルダ客体管理部４１０は一般ファイル客体ＣＯ＃１を第１フォルダ客体ＦＯ＃１から第２フォルダ客体ＦＯ＃２に移動するための移動要請が受信されれば、一般ファイル客体ＣＯ＃１及びこれと関連したオンライン実際可能なメッセージレポジトリ客体ＭＯ＃１の全てと第１フォルダ客体ＦＯ＃１との間の関連性を解除し、第２フォルダ客体ＦＯ＃２の間の関連性を設定することができる。即ち、フォルダ客体管理部４１０は、フォルダ客体３１０にある特定オンライン実際可能なメッセージレポジトリ（online instantiable message repository）３２０、一般ファイル客体３３０、またはサブ−フォルダ客体３４０の移動が発生すれば、該当移動要請された対象客体と関連した他の対象客体も共に移されるように制御することができる。
【００６４】
前記の実施形態で、フォルダ客体管理部４１０は該当移動要請者と移動要請された対象客体の生成者が相異する場合には、該当移動要請された対象客体の生成者または該当フォルダ客体３１０に関するフォルダ生成者の承認下に該当移動を遂行するか否かを決定することもできる。
【００６５】
オンライン実際可能なメッセージレポジトリ管理部４２０は、オンライン実体可能なメッセージレポジトリ客体３２０のファイル制御権限をチャットルーム開設者に与えることができる。また、オンライン実際可能なメッセージレポジトリ管理部４２０は、オンライン招待を通じて参加される少なくとも１つの参加者にオンライン実体可能なメッセージレポジトリ客体３２０のファイル読取権限を与えることができる。一実施形態で、オンライン実際可能なメッセージレポジトリ管理部４２０はオンライン実際可能なメッセージレポジトリ客体３２０がチャットルーム開設者により生成されれば、ユーザ招待を通じて該当オンライン実際可能なメッセージレポジトリ客体３２０に参加する少なくとも１つの参加者を決定することができる。一実施形態で、オンライン実際可能なメッセージレポジトリ管理部４２０はフォルダ客体３１０に関するフォルダ共有者と関連したユーザ端末１２０から該当フォルダ客体３２０内でのオンライン実際可能なメッセージレポジトリ生成要請が受信されれば、該当フォルダ共有者により指定された少なくとも１つの参加者により参加されるオンライン実際可能なメッセージレポジトリ客体３２０を生成して該当フォルダ客体３１０に含めることができる。
【００６６】
一実施形態で、オンライン実際可能なメッセージレポジトリ管理部４２０は一般ファイル客体３３０と共にオンライン実体可能なメッセージレポジトリ客体３２０を含むフォルダ客体３１０を少なくとも１つの参加者の共有フォルダとして管理することができる。また、オンライン実際可能なメッセージレポジトリ管理部４２０はユーザ招待に関する要請が該当フォルダ客体３１０に関するフォルダ共有者を対象に遂行されたものであるか否かに基づいて該当要請を承認することができる。例えば、オンライン実際可能なメッセージレポジトリ管理部４２０は、チャットルーム開設者によるユーザ招待過程で該当フォルダ客体３１０に関するフォルダ共有者のうち、少なくとも１つを招待できるようにし、これによって、チャットルーム開設者は該当フォルダ客体３１０に参加されるフォルダ共有者のうちから選択して招待することができる。一実施形態で、オンライン実際可能なメッセージレポジトリ管理部４２０はユーザの要請に基づいてフォルダ客体３１０にある特定一般ファイル客体３３０と関連したオンライン実際可能なメッセージレポジトリ客体３２０を生成することができる。例えば、オンライン実際可能なメッセージレポジトリ管理部４２０はフォルダ客体３１０のフォルダ共有者のうちの１つであるチャットルーム開設者から該当フォルダ客体３１０にある特定一般ファイル客体３３０（例えば、会議録文書ファイル）と関連したオンライン実際可能なメッセージレポジトリ客体３２０の生成要請を受信することができ、該当フォルダ共有者のうちから該当チャットルーム開設者により指定された少なくとも１つの参加者により参加されるチャットルームで実体化できるオンライン実際可能なメッセージレポジトリ客体３２０を生成して該当一般ファイル客体３３０と関連させることができる。一実施形態で、オンライン実際可能なメッセージレポジトリ管理部４２０は、特定の一般ファイル客体３３０と関連したオンライン実際可能なメッセージレポジトリ客体３２０が生成されれば、該当対話スレッドに該当一般ファイル客体３３０をマルチメディアメッセージまたは添付ファイルメッセージとして追加することができ、該当追加が成功的に遂行されれば、該当オンライン実際可能なメッセージレポジトリ客体３２０と該当一般ファイル客体３３０との関連性を解除することができる。
【００６７】
オンライン実際可能なメッセージレポジトリ管理部４２０は、オンライン実際可能なメッセージレポジトリ客体３２０のオープン要請を受信することができる。オンライン実際可能なメッセージレポジトリ管理部４２０は、フォルダ客体３１０に接近できるフォルダ共有者のうちの１つから該当フォルダ客体３１０にあるオンライン実際可能なメッセージレポジトリ客体３２０のオープン要請を受信することができる。
【００６８】
オンライン実際可能なメッセージレポジトリ管理部４２０は、オンライン実際可能なメッセージレポジトリ客体３２０のオープン要請が受信されれば、該当要請者が該当オンライン実際可能なメッセージレポジトリ客体３２０に参加される少なくとも１つの参加者のうちの１つに該当するか否かを決定して該当オープンを承認することができる。即ち、オンライン実際可能なメッセージレポジトリ管理部４２０は、該当チャットルームの参加者のみに該当オンライン実際可能なメッセージレポジトリ３２０のオープンを承認することができる。
【００６９】
一実施形態で、オンライン実際可能なメッセージレポジトリ管理部４２０は該当オープンが承認されなければ、該当要請者の制御下に該当オンライン実際可能なメッセージレポジトリ客体３２０に関するオープン許容要請メッセージを該当チャットルーム開設者または参加者に提供することができ、これに対する承認応答として該当チャットルーム開設者に、または参加者によるオープン要請応答メッセージが受信されれば、該当オープン要請を部分的に承認して該当要請者が該当オンライン実際可能なメッセージレポジトリ客体３２０を読取専用にオープンするようにすることができる。
【００７０】
一実施形態で、オンライン実際可能なメッセージレポジトリ管理部４２０は該当オープンが承認されなければ該当要請者の制御下に該当オンライン実際可能なメッセージレポジトリ客体３２０に対する参加要請メッセージを該当チャットルーム開設者または参加者に提供することができ、これに対する承認応答として該当チャットルーム開設者または参加者による参加要請応答メッセージが受信されれば、該当要請者を該当チャットルームに参加者に設定することができる。
【００７１】
オンライン実際可能なメッセージレポジトリ管理部４２０は、該当オープンが承認されれば、該当要請者に該当オンライン実際可能なメッセージレポジトリ客体３２０にある特定時間区間単位で一部の対話スレッドを逆順次的に提供することができる。より具体的に、オンライン実際可能なメッセージレポジトリ管理部４２０は該当オープンが承認されれば、該当オンライン実際可能なメッセージレポジトリ客体３２０の対話スレッドを配列している順序の逆順に処理する逆順次処理（reverse sequential processing）を通じて該当対話スレッドのうち、最も最近に追加された対話メッセージで逆順次的に切れになった第１の一部対話スレッドを先に該当要請者のユーザ端末１２０に提供することができ、第１の一部対話スレッドより以前に生成された対話メッセージに対する接近試みによって繋がる第２及び第３の一部対話スレッドなどを逆順次的に提供することができる。これによって、オンライン実際可能なメッセージレポジトリ管理部４２０はユーザ端末１２０が該当オンライン実際可能なメッセージレポジトリ客体３２０をオープンする過程で逆順次的に提供される一部対話スレッド順に該当対話スレッドをチャットルームで実体化させるようにすることができる。
【００７２】
一実施形態で、オンライン実際可能なメッセージレポジトリ管理部４２０はオンライン実際可能なメッセージレポジトリ客体３２０が一般ファイル客体３３０と関連して生成されれば、該当チャットルーム内にあるオンライン参加者が該当一般ファイル客体３３０のリアルタイム操作を共有するようにすることができる。例えば、オンライン実際可能なメッセージレポジトリ管理部４２０は、文書ファイルに該当する特定の一般ファイル客体３３０と関連して生成されたオンライン実際可能なメッセージレポジトリ客体３２０の場合、該当チャットルームをオープンしている特定オンライン参加者から該当文書ファイルに対する操作共有要請またはリアルタイム変更共有要請を受信することができ、該当要請者のユーザ端末１２０が該当チャットルームのインターフェースのうち、少なくとも一部を通じて該当文書ファイルをリアルタイムに操作するように制御することができ、該当チャットルームをオープンしている他のオンライン参加者の各々のユーザ端末１２０が該当チャットルームのインターフェースのうち、少なくとも一部を通じて該当要請者による文書ファイルに特定コンテンツが修正、追加、削除される操作過程及び結果を含むリアルタイム操作状況、またはそのような結果を反映したリアルタイム変更が共有されるように制御することができる。
【００７３】
対話メッセージ管理部４３０は、オンライン実際可能なメッセージレポジトリ客体３２０が成功的にオープンされ、該当対話スレッドに対話メッセージが追加されれば、該当オンライン実際可能なメッセージレポジトリ客体３２０を更新する。ここで、対話メッセージはメッセージ発信者とメッセージ内容を含み、一実施形態で、メッセージ発信時刻及びメッセージ種類（例えば、一般メッセージ、業務メッセージ、マルチメディアメッセージなど）のうち、少なくとも１つをさらに含むことができる。
【００７４】
一実施形態で、対話メッセージ管理部４３０は対話メッセージが追加されれば、該当チャットルームに関する少なくとも１つの参加者に該当追加された対話メッセージを直ちに提供して該当参加者が該当オンライン実際可能なメッセージレポジトリ客体３２０を内在的にオープンするようにすることができる。例えば、対話メッセージ管理部４３０は現在チャットルームをオープンした状態において追加された対話メッセージを直ちに確認した参加者とメッセージ発信者を除外した残りの参加者の各々に該当追加された対話メッセージまたは該当追加有無に関するお知らせメッセージを直ちに提供して該当残りの参加者が該当メッセージに対するユーザ応答（例えば、該当メッセージをクリック）を通じて該当オンライン実際可能なメッセージレポジトリ客体３２０の内在的オープンを遂行するようにすることができる。対話メッセージ管理部４３０は、ユーザがまだ読んでいないメッセージに関する情報を示すメッセージ未確認カウントを通じてユーザにより確認されていない未確認対話メッセージまたは未確認オンライン実際可能なメッセージレポジトリ客体３２０の個数を提供することができる。一実施形態で、対話メッセージ管理部４３０は対話メッセージが追加される度に該当フォルダ客体３１０及び該当下位構造にある全てのオンライン実際可能なメッセージレポジトリ客体３２０のうち、ユーザにより確認されていない未確認対話メッセージを含むオンライン実際可能なメッセージレポジトリ客体３２０の個数またはユーザにより確認されていない未確認対話メッセージの個数を検出して該当フォルダ客体３１０にあるメッセージ未確認カウントに反映することができる。
【００７５】
対話メッセージ管理部４３０は、メッセージ未確認カウントを全てのフォルダ客体３１０及びサブ−フォルダ客体３４０の各々を対象に遂行してユーザ端末１２０に提供することができ、これによって、ユーザ端末１２０がファイル共有インターフェースを介してフォルダ客体３１０に関して視角化させる過程でメッセージ未確認カウントシンボルを通じてフォルダ客体３１０別にその下位構造全体の累積されたメッセージ未確認カウントを表示するようにすることができ、フォルダ客体３１０の下位構造にある全ての個別サブ−フォルダ客体３４０また自身の下位構造全体の累積されたメッセージ未確認カウントを表示するようにすることができる。
【００７６】
対話メッセージ管理部４３０は、該当チャットルームを通じて少なくとも１つの参加者のうちの１つから転送される転送ファイル客体３２４を対話メッセージとして受信することができる。より具体的に、対話メッセージ管理部４３０はチャットルームを通じて参加者の間に転送される少なくとも１つの転送ファイル客体３２４を該当オンライン実際可能なメッセージレポジトリ客体３２０の対話スレッドに対話メッセージとして追加することができ、一実施形態で、オンライン実際可能なメッセージレポジトリ客体３２０は該当対話スレッド及び転送ファイル客体３２４のコンテナを含むことができる。
【００７７】
一実施形態で、対話メッセージ管理部４３０は転送ファイル客体３２４を一般ファイル客体３３０として該当フォルダ客体３１０に自動で追加し、該当オンライン実際可能なメッセージレポジトリ客体３２０を該当転送ファイル客体３２４と追加的に関連させることができる。このような場合、対話メッセージ管理部４３０は該当追加された一般ファイル客体３３０に接近できる接近権限を該当関連したオンライン実際可能なメッセージレポジトリ客体３２０に参加する参加者のみに制限的に与えることができ、ユーザ端末１２０が該当フォルダ客体３１０に関して視角化させる過程で接近権限のない一般ファイル客体３３０は、ファイルリストから除外されるようにすることができる。該当一実施形態で、対話メッセージ管理部４３０は該当オンライン実際可能なメッセージレポジトリ客体３２０と関連したサブ−フォルダ客体３４０を生成し、該当オンライン実際可能なメッセージレポジトリ客体３２０を通じて生成される転送ファイル客体３２４を一般ファイル客体３３０として該当サブ−フォルダ客体３４０に自動で追加することもできる。このような場合、対話メッセージ管理部４３０は該当サブ−フォルダ客体３４０に特定ファイル客体を追加するためには該当オンライン実際可能なメッセージレポジトリ客体３２０を通すように制限することができる。
【００７８】
対話メッセージ管理部４３０は、該当チャットルームを通じて少なくとも１つの参加者のうちの１つに該当する業務生成者から業務内容と業務処理者を含み、該当業務処理者によりフィードバックできる業務客体３２２を対話メッセージとして受信することができる。一実施形態で、オンライン実際可能なメッセージレポジトリ客体３２０は、該当対話スレッド、業務客体３２２のコンテナ、及び転送ファイル客体３２４のコンテナを含むことができる。
【００７９】
より具体的に、対話メッセージ管理部４３０は該当チャットルームを通じてのユーザ要請に基づいて業務内容、業務生成者、業務処理者、業務評点、及び締切期限のうち、少なくとも１つを含む業務客体３２２を生成して該当オンライン実際可能なメッセージレポジトリ客体３２０の対話スレッドに関連させることができ、例えば、該当対話スレッドに該当業務客体３２２を業務メッセージとして追加することができる。一実施形態で、チャットルームを通じて具現される対話メッセージは、テキストメッセージ、業務メッセージ、マルチメディアメッセージ、及び添付メッセージのうち、少なくとも１つを含むことができる。
【００８０】
対話メッセージ管理部４３０は、業務客体３２２を該当チャットルームで直接的に接近されることができ、テキストメッセージまたはマルチメディアメッセージと区別される独立的な業務メッセージとして該当対話スレッドに追加することができる。例えば、業務客体３２２の各々はメッセンジャーのチャットルームで具現された対話スレッドで該当チャットルームに参加する参加者により業務メッセージとして接近されることができ、一般的なテキストメッセージに該当する対話メッセージと写真や映像メッセージのようなメディアメッセージと区別される業務メッセージ客体に該当することができる。
【００８１】
ここで、業務処理者は該当業務生成者により該当業務を処理する対象に指定されたチャットルーム参加者に該当し、業務評点は該当業務が完了すれば、該当業務生成者により評価できる評価点数の最大上限を意味する評価予約点数と実際に評価された点数を意味する評価点数を含むことができる。これによって、業務生成者はチャットルーム内で業務メッセージとして表現された業務客体３２２を通じて業務処理者に対話する方式により業務を指示または評価することができる。
【００８２】
対話メッセージ管理部４３０は、処理ステップ別進行状態を示す業務進行状態を含む業務客体３２２の進行を遂行することができ、業務処理者によるフィードバックに基づいてこのような進行を遂行して業務客体３２２を更新することができる。一実施形態で、対話メッセージ管理部４３０は業務生成者と業務処理者のうち、一方による要請と他の一方による応答を反映して業務処理ダイヤグラム上で予め決定された業務進行状態を更新した後に、該当対話スレッドを更新することができる。例えば、業務進行状態は業務客体３２２が新しく生成された状態を示す‘新しい’、業務処理者が該当業務客体３２２を処理中の状態を示す‘している中’、業務処理者が該当業務客体３２２を完了した状態として業務生成者から業務完了に対するインタラクションを有する状態を示す‘済み’、及び業務生成者が業務処理者の完了した業務客体３２２を確認した状態を示す‘確認’を含むことができる。
【００８３】
対話メッセージ管理部４３０は、業務生成者と業務処理者との間の応答関係で具現される業務客体関連応答を通じて該当業務客体３２２の業務進行状態を更新する方式により業務客体３２２の進行を遂行することができる。ここで、業務客体関連応答は業務生成者または業務処理者と関連したユーザ端末１２０により応答できる業務客体に関する応答に該当し、一実施形態で、該当業務客体の現在業務処理状態によって業務確認応答、業務完了応答、及び業務評価応答のうち、少なくとも１つを含むことができる。例えば、対話メッセージ管理部４３０は業務進行状態が‘新しい’状態に該当する業務客体３２２に関して業務処理者に該当するユーザから業務インタラクションを受信すれば、該当業務進行状態を次の進行状態である‘している中’状態に更新することができる。
【００８４】
一実施形態で、対話メッセージ管理部４３０はメッセージエージェントにある業務客体３２２に関する制御インターフェースを介して業務生成者または業務処理者と関連したユーザ端末１２０から業務関連応答を受信することができる。対話メッセージ管理部４３０は、業務客体関連応答を受信すれば、現在業務処理状態を決定し、該当対話スレッドを更新することができる。
【００８５】
対話メッセージ管理部４３０は、業務客体３２２の進行を遂行して最終的に業務生成者から該当業務客体３２２に関する評価を受信して該当業務客体３２２の業務評点として与えることができる。例えば、対話メッセージ管理部４３０は現在業務進行状態が‘済み’状態である業務客体３２２に関して該当業務生成者と関連したユーザ端末１２０から業務客体関連応答のうちの１つである業務評価応答を受信することができ、該当業務評価応答に含まれ、該当業務生成者により指定された評価点数を該当業務客体３２２の業務評点に反映することができる。
【００８６】
一実施形態で、対話メッセージ管理部４３０は対話スレッドを通じて業務客体３２２と関連し、該当業務進行状態が完了するまで特定反復基準によって該当業務進行状態の完了を要請するリマインドメッセージを提供することができる。より具体的に、対話メッセージ管理部４３０は業務客体集合で予め設定されたリマインド条件を満たす少なくとも１つの業務客体３２２を検出し、検出された業務客体３２２の各々と関連したリマインドメッセージを生成することができ、一実施形態で、リマインド条件は業務生成者により指定された締切期限または業務重要度に基づいて業務進行状態別に決定できる。対話メッセージ管理部４３０は、リマインド内容とリマインド回数を含むリマインドメッセージを特定反復基準（例えば、１２時間周期で転送）によって該当オンライン実際可能なメッセージレポジトリ客体３２０の対話スレッドに追加することができ、一実施形態で、リマインドメッセージに対する該当業務処理者の応答に基づいて該当業務客体３２２の業務進行状態を変更処理することができる。
【００８７】
対話メッセージ管理部４３０は、特定時間周期でフォルダ客体３１０にある全てのオンライン実際可能なメッセージレポジトリ客体３２０の業務客体３２２のうち、リマインド条件を満たす業務客体を検出して該当フォルダ客体３１０にあるトゥデー業務リストに反映することができる。対話メッセージ管理部４３０は、特定時間周期毎に該当フォルダ客体３１０及び該当下位構造にある全てのオンライン実際可能なメッセージレポジトリ客体３２０の業務客体３２２のうち、リマインド条件を満たす全ての業務客体を検出してトゥデー業務リストに反映することができ、トゥデー業務リストを全てのフォルダ客体３１０及びサブ−フォルダ客体３４０の各々を対象に遂行してユーザ端末１２０に提供することができる。
【００８８】
これによって、対話メッセージ管理部４３０はユーザ端末１２０がファイル共有インターフェースのうち、トゥデー業務リスト提供欄を通じて該当フォルダ客体３１０の下位構造全体を対象に検出されたリマインド業務客体リストを表示するようにすることができ、フォルダ客体３１０の下位構造にある全ての個別サブ−フォルダ客体３４０また自身の下位構造全体を対象に検出されたリマインド業務客体リストを表示するようにすることができる。
【００８９】
対話メッセージ管理部４３０は、フォルダ客体３１０と下位ツリー構造の関連性を有する全てのオンライン実際可能なメッセージレポジトリ客体３２０、一般ファイル客体３３０、及びサブ−フォルダ客体３４０に関する生成個数、生成者、及び参加者のうち、少なくとも１つに基づいて算出された統計演算結果を該当フォルダ客体３１０にある累積統計カウントに含めることができる。一実施形態で、対話メッセージ管理部４３０は該当全てのオンライン実際可能なメッセージレポジトリ客体３２０と関連した業務客体３２２に関する生成個数、処理個数、業務生成者、及び業務処理者のうち、少なくとも１つに基づいて統計演算を遂行して該当累積統計カウントに反映することができる。例えば、対話メッセージ管理部４３０はフォルダ客体３１０にある累積統計カウントに該当フォルダ客体３１０とその下位構造全体を対象に総何個のオンライン実際可能なメッセージレポジトリ客体３２０が存在するか、これらを通じて総何個の業務客体３２２が生成されたか、参加者の間に総何個の転送ファイル客体３２４の個数が共有されたかなどを反映することができる。
【００９０】
対話メッセージ管理部４３０は同様に、このような累積統計カウントに関する演算処理を全てのフォルダ客体３１０及びサブ−フォルダ客体３４０の各々を対象に遂行してユーザ端末１２０に提供することができる。
【００９１】
一実施形態で、対話メッセージ管理部４３０は対話スレッドの更新頻度または関連した業務客体３２２の生成個数に基づいて該当オンライン実際可能なメッセージレポジトリ客体３２０の活性度を決定することができる。例えば、該当対話スレッドが予め設定された特定基準周期より早く更新されるか、特定時間区間の間処理されるメッセージ処理量が特定基準処理量より大きいか、または、該当対話スレッドを通じて生成された業務客体３２２が特定基準個数より多ければ、活性度を‘高い’に決定することができる（図７参照）。
【００９２】
2019021314.tif 000003
【００９３】
【数１】
2019021314.tif 000004
【００９４】
ここで、ｒは時間基準単位で四捨五入された整数であって、現在時刻と最も最近に更新された該当対話スレッドの更新時刻との間の時間差を示し、ｗは該当対話スレッドを通じて生成された業務客体３２２０の個数を示し、ｕは該当チャットルームに参加する参加者数を示す。
【００９５】
一実施形態で、対話メッセージ管理部４３０はフォルダ客体３１０にあるオンラインの実際可能なメッセージレポジトリ客体３２０が活性度の高い順に整列できるようにすることができる。オンライン実際可能なメッセージレポジトリ客体３２０別に決定された活性度をユーザ端末１２０に提供してユーザ端末１２０がフォルダ客体３１０にあるオンライン実際可能なメッセージレポジトリ客体３２０に関して活性度の高い順に整列するようにすることができる。一実施形態で、対話メッセージ管理部４３０はオンライン実際可能なメッセージレポジトリ客体３２０別に業務客体生成個数、参加者数、対話スレッドの最近更新時点などに関してメタデータ化することができ、該当メタデータに基づいてフォルダ客体３１０にある全てのオンライン実際可能なメッセージレポジトリ客体３２０に関する整列が遂行されるようにすることができる。
【００９６】
制御部４４０はプロセッサ２１０の動作の全般を制御することができ、フォルダ客体管理部４１０、オンライン実際可能なメッセージレポジトリ管理部４２０、及び対話メッセージ管理部４３０の間のデータ流れを制御することができる。
【００９７】
図５は、図２にあるプロセッサにより遂行されるメッセージ基盤のファイル共有プロシージャを説明するフローチャートである。
【００９８】
図５で、フォルダ客体管理部４１０は、少なくとも１つの参加者により参加され、対話スレッドと関連したチャットルームで実体化されることができ、コンピュータファイルで具現されるオンライン実際可能なメッセージレポジトリ客体３２０のオープン要請を受信する（ステップＳ５１０）。オンライン実際可能なメッセージレポジトリ管理部４２０は、オンライン実際可能なメッセージレポジトリ客体３２０のオープン要請を受信することができる。
【００９９】
対話メッセージ管理部４３０は、オンライン実際可能なメッセージレポジトリ客体３２０が成功的にオープンされれば、チャットルームを再開する（ステップＳ５２０）。一実施形態で、対話メッセージ管理部４３０は新規参加者によりオープンされれば、既存のチャットルームを継ぐようにすることができる。即ち、対話メッセージ管理部４３０は、新規参加者に既存のチャットルームにある対話メッセージを提供することができる。
【０１００】
対話メッセージ管理部４３０は、対話スレッドと関連したチャットルームにメッセージ発信者とメッセージ内容を含む対話メッセージが追加されれば、該当オンライン実際可能なメッセージレポジトリ客体３２０を更新する（ステップＳ５３０）。
【０１０１】
図６は、図１にあるユーザ端末がオンライン実体可能なメッセージレポジトリ処理装置と連動してファイル共有インターフェースを提供する過程の一実施形態を示す図である。
【０１０２】
図６で、オンライン実体可能なメッセージレポジトリ処理装置１１０はユーザ端末１２０に該当ユーザと関連したフォルダ客体３１０に関する情報を提供することができ、これによって、オンライン実体可能なメッセージレポジトリ処理装置１１０はユーザ端末１２０が該当ユーザ端末１２０に設けられたメッセージエージェントにあるファイル共有インターフェース６００を通じて該当フォルダ客体３１０に関してディスプレイするようにすることができる。オンライン実体可能なメッセージレポジトリ処理装置１１０は、ファイル共有インターフェース６００を通じて該当ユーザと関連したフォルダ客体３１０、オンライン実際可能なメッセージレポジトリ客体３２０、一般ファイル客体３３０、及びサブ−フォルダ客体３４０に関する生成、修正、及び削除要請を受信するか、または特定オンライン実際可能なメッセージレポジトリ客体３２０のオープン要請を受信することができ、ユーザ権限に基づいて該当オープンのための接近を許容するか否かを決定してユーザ端末１２０が該当オンライン実際可能なメッセージレポジトリ客体３２０をチャットルームで実体化させるようにすることができる。
【０１０３】
ユーザ端末１２０は、オンライン実体可能なメッセージレポジトリ処理装置１１０から該当ユーザと関連したフォルダ客体３１０に関する情報の提供を受けてフォルダ表示領域６１０を通じて視角化させることができる。これによって、ユーザはフォルダ表示領域６１０を通じて自身がフォルダ共有者として参加できる全てのフォルダ客体３１０のリストを確認することができ、該当リストにある特定フォルダ客体３１０に対する接近を試みることができる。また、ユーザ端末１２０はフォルダ客体３１０別にフォルダ未確認カウントシンボル６１２を通じて該当フォルダ客体３１０にあるメッセージ未確認カウントを表示してユーザに該当フォルダ客体３１０の下位構造にある全てのオンライン実際可能なメッセージレポジトリ客体３２０のうち、ユーザにより確認されていない未確認対話メッセージの個数（例えば、図６で、現在選択されたフォルダである‘０４．生産性改善フォルダ’の場合は９個）を知らせることができる。
ユーザ端末１２０は、特定フォルダ客体３１０に対する接近試みが許容されれば、オンライン実体可能なメッセージレポジトリ処理装置１１０から該当特定フォルダ客体３１０にあるオンライン実際可能なメッセージレポジトリ客体３２０、一般ファイル客体３３０、及びサブ−フォルダ客体３４０のうち、少なくとも１つに関する情報の提供を受けてファイル表示領域６２０を通じて該当フォルダ客体３１０にあるファイル客体リストを視角化させることができ、該当ファイル客体リストを通じて特定ファイル客体に関する接近またはオープン要請を受信することができる。
【０１０４】
ユーザ端末１２０は、ファイル表示領域６２０を通じて該当ファイル客体のファイル名、ファイル客体の種類、生成者、容量、活性度などを表示することができ、サブ−フォルダ客体３４０の場合にはサブ−フォルダ未確認カウントシンボル６２２を通じて該当メッセージ未確認カウントを表示してユーザに該当サブ−フォルダ客体３４０の下位構造にある全てのオンライン実際可能なメッセージレポジトリ客体３２０のうち、ユーザにより確認されていない未確認対話メッセージの個数を知らせることができ、オンライン実際可能なメッセージレポジトリ客体３２０の場合にはメッセージファイル未確認カウントシンボル６２４を通じて該当メッセージ未確認カウントを表示することができる。
【０１０５】
ユーザ端末１２０は、ユーザの制御下にフォルダ制御インターフェース６３０を通じて該当フォルダ客体３１０内の新規オンライン実際可能なメッセージレポジトリ生成要請を受信してオンライン実体可能なメッセージレポジトリ処理装置１１０に転送することができ、オンライン実体可能なメッセージレポジトリ処理装置１１０によるオンライン実際可能なメッセージレポジトリ客体３１０の新規生成過程でフォルダ共有者のうちの指定されたユーザを招待するようにすることができる。その他にも、ユーザ端末１２０はファイル表示領域６２０を通じて特定オンライン実際可能なメッセージレポジトリ客体３２０が選択されれば、オンライン実体可能なメッセージレポジトリ処理装置１１０に該当オンライン実際可能なメッセージレポジトリ客体３２０のオープン要請を転送することができる。
【０１０６】
例えば、ユーザ端末１２０は、仮にファイル表示領域６２０を通じてユーザによる空いた空間タッチ入力またはマウス右クリックのようなユーザ入力が受信されれば、フォルダ制御インターフェース６３０を提供することができ、フォルダ制御インターフェース６３０を介して新規フォルダ客体の生成（新しいフォルダ生成）、新規サブ−フォルダ客体生成（現在フォルダで新しいサブ−フォルダ生成）、新規オンライン実際可能なメッセージレポジトリ生成（現在フォルダで新しいメッセージファイル生成）、新規一般ファイル客体転送（現在フォルダのファイルアップロード）、特定ファイル客体の受信（現在フォルダのファイルダウンロード）またはフォルダ共有者追加（現在フォルダのフォルダ共有者招待）に関するユーザ要請を受信することができる。
【０１０７】
また、例えば、ユーザ端末１２０は、仮にファイル表示領域６２０の特定ファイル客体に対する特定時間以上の長いタッチ入力またはマウス右クリックのようなユーザ入力が受信されれば、該当ファイル客体を基準にするフォルダ制御インターフェース６３０を提供することができ、該当ファイル客体がオンライン実際可能なメッセージレポジトリ３２０に該当すれば（例えば、‘機能性フィルター生産品質確保’のメッセージファイル）フォルダ制御インターフェース６３０を通じて該当ファイルのオープン（開き）に関するユーザ要請を受信することができ、該当ファイル客体が一般ファイル客体３３０に該当すれば（例えば、‘フィルター生産品質確保方案’の文書ファイル）フォルダ制御インターフェース６３０を通じて該当一般ファイル客体３２０と関連した新規オンライン実際可能なメッセージレポジトリ生成に関するユーザ要請を受信することができる。
【０１０８】
図７は、図１にあるユーザ端末がオンライン実体可能なメッセージレポジトリ処理装置と連動してオンライン実際可能なメッセージレポジトリをチャットルームで視角化させる過程の一実施形態を示す図である。
【０１０９】
図７で、オンライン実体可能なメッセージレポジトリ処理装置１１０は、ユーザ端末１２０から該当ユーザが参加者として関連した特定オンライン実際可能なメッセージレポジトリ客体３２０に関するオープン要請が受信されれば、該当オープンを許容することができ、これによって、ユーザ端末１２０は該当オンライン実際可能なメッセージレポジトリ客体３２０に接近してメッセージファイルインターフェース７００を介して該当オンライン実際可能なメッセージレポジトリ客体３２０を視角化させることができ、オンライン実体可能なメッセージレポジトリ処理装置１１０はメッセージファイルインターフェース７００を介して参加者の間の対話メッセージが受信される度に該当オンライン実際可能なメッセージレポジトリ客体３２０を更新することができる。
【０１１０】
メッセージファイルインターフェース７００は、メッセージファイル主要情報表示欄７１０、業務客体進行状態表示欄７２０、メッセージ表示欄７３０、業務客体生成ボタン７４０、マルチメディアアップロードメニュー７５０、ファイルアップロードメニュー７６０、チャットメッセージ入力欄７７０、及びユーザ招待メニュー７８０を含むことができる。
【０１１１】
ユーザ端末１２０は、メッセージファイル主要情報表示欄７１０を通じて該当オンライン実際可能なメッセージレポジトリ客体３２０が位置したフォルダ名、該当ファイル名、関連した一般ファイル客体の有無（あれば、該当関連したファイル名を提供）、参加者などに関して表示することができ、業務客体進行状態表示欄８２０を通じて該当対話スレッドを通じて生成された業務客体３２２に関する業務進行状態別に（新しい、している中、済み、及び確認ステップ別に）生成個数を表示することができ、メッセージファイル主要情報表示欄７１０を通じてのユーザ入力により該当業務客体３３０に接近するように支援することができる。
【０１１２】
ユーザ端末１２０は、メッセージ表示欄８３０を通じて業務メッセージで表現される業務客体３２２及びテキストメッセージで表現される一般的なチャットメッセージを提供することができ、例えば、業務客体３２２の場合、識別番号７３２のように、一般的なチャットメッセージやマルチメディアメッセージと区分される独立的な業務メッセージで表現することができ、各業務客体３２２の業務内容、業務生成者、業務処理者、及び業務進行状態のうち、少なくとも１つに関して表示することができる（図７で、業務進行状態と関連して新しい（●○○○）、している中（○●○○）、済み（○○●○）、または確認（○○○●）のような現在処理ステップに対応するシンボルを通じて現在業務進行状態を示すことができる）。また、ユーザ端末１２０はメッセージ表示欄７３０を通じてリマインドメッセージを提供することもでき、例えば、オンライン実体可能なメッセージレポジトリ処理装置１１０によりリマインドが必要であると判断された特定業務客体３２２の場合、識別番号７３４のように、リマインド対象に関する情報（該当業務客体３２２の仕事処理者、締切期限、及び現在業務進行状態）及び該当業務客体３３０の現在業務進行状態を次のステップに変更することができる状態変更ボタン（業務処理者により‘している中（doing）’状態から‘済み（done）’状態に変更可能）を含むリマインドメッセージを提供することができる。
【０１１３】
ユーザ端末１２０は、業務客体生成ボタン７４０を通じて業務生成者、業務処理者、業務内容、及び業務評点に関する業務情報を含む業務客体生成要請を受信してオンライン実体可能なメッセージレポジトリ処理装置１１０に転送することができ、これによってオンライン実体可能なメッセージレポジトリ処理装置１１０は受信された業務客体生成要請に基づいて業務客体３２２を生成して該当対話スレッドに業務メッセージとして追加することができ、ユーザ端末１２０は識別番号７３２と類似するように、該当業務客体３２２を業務メッセージとしてチャットルーム内に視角化させることができる。
【０１１４】
ユーザ端末１２０は、マルチメディアアップロードメニュー７５０及びファイルアップロードメニュー７６０の各々を通じてマルチメディアファイルや添付ファイルに関するアップロード要請を受信することができ、ユーザにより転送される転送ファイル客体３２４の提供を受けて該当対話スレッドにマルチメディアメッセージまたは添付メッセージのような対話メッセージとして追加することができる。
【０１１５】
ユーザ端末１２０は、チャットメッセージ入力欄７７０を通じてユーザから対話を受信してオンライン実体可能なメッセージレポジトリ処理装置１１０に転送することができ、オンライン実体可能なメッセージレポジトリ処理装置１１０は転送された対話を該当対話スレッドに対話メッセージとして追加して該当オンライン実際可能なメッセージレポジトリ客体３２０をリアルタイムに更新することができる。
【０１１６】
ユーザ端末１２０は、ユーザ招待メニュー７８０を通じて該当フォルダ客体３１０に関するフォルダ共有者のうち、ユーザにより指定された少なくとも１つの招待対象者を含むユーザ招待情報を受信してオンライン実体可能なメッセージレポジトリ処理装置１１０に転送することができ、オンライン実体可能なメッセージレポジトリ処理装置１１０は受信されたユーザ招待情報に基づいてユーザ招待を遂行して該当オンライン実際可能なメッセージレポジトリ客体３２０に該当招待対象者を参加者として関連させることができる。
【０１１７】
前記では本出願の好ましい実施形態を参照して説明したが、該当技術分野の熟練した通常の技術者は下記の特許請求範囲に記載された本発明の思想及び領域から逸脱しない範囲内で本出願を多様に修正及び変更させることができることを理解することができる。
【符号の説明】
【０１１８】
１００    オンライン実体可能なメッセージレポジトリ処理システム
１１０    オンライン実体可能なメッセージレポジトリ処理装置
１２０    ユーザ端末
２１０    プロセッサ
２２０    メモリ
２３０    ユーザ入出力部
２４０    ネットワーク入出力部
３１０    フォルダ客体
３２０    オンライン実際可能なメッセージレポジトリ客体
３２２    業務客体
３２４    転送ファイル客体
３３０    一般ファイル客体
３４０    サブ−フォルダ客体
４１０    フォルダ客体管理部
４２０    オンライン実際可能なメッセージレポジトリ管理部
４３０    対話メッセージ管理部
４４０    制御部
【図１】
2019021314.tif 000005
【図２】
2019021314.tif 000006
【図３】
2019021314.tif 000007
【図４】
2019021314.tif 000008
【図５】
2019021314.tif 000009
【図６】
2019021314.tif 000010
【図７】
2019021314.tif 000011